(57)【要約】【課題】  建物のランマ部分を利用して両側の柱を結合することにより、京風長屋の間口方向及び戸建住宅の壁の少ない向きの耐震強度を向上させることができ、地震による災害の防止手段として有用な木造建築の連結ランマ型耐震トラス装置を提供する。【解決手段】  横長となるアングル枠２内にトラス３を設けてアングルトラス４を形成し、このアングルトラス４におけるアングル枠２の両側端部で柱に接する面に、柱に当接する縦突条を設け、アングルトラス４の端部を位置させる壁Ａにこの壁の厚みに等しい長さを有する間隔パイプ６を挿入し、壁Ａを挟んで両側に位置するアングルトラス４の端部を、間隔パイプ６に通したボルト７で壁Ａを介して結合する。【選択図】図１
2006077555.tif 000002
【特許請求の範囲】
【請求項１】
横長となるアングル枠内にトラスを設けて対面する壁の間に配置するアングルトラスを形成し、このアングルトラスにおけるアングル枠の両側端部で柱に接する面に、柱に当接する縦突条を設け、両側にアングルトラスの端部を位置させる壁にこの壁の厚みに等しい長さを有する間隔パイプを挿入し、壁を挟んで両側に位置するアングルトラスの端部を、間隔パイプに通したボルトで壁を介して結合するようにした木造建築の連結ランマ型耐震トラス装置。
【請求項２】
横長となるアングル枠内にトラスを設けて対面する壁の間に配置するアングルトラスを形成し、このアングルトラスにおけるアングル枠の両側端部で柱に接する面に、柱に当接する縦突条を設け、両側にアングルトラスの端部を位置させる壁にこの壁の厚みに等しい長さを有する間隔パイプを挿入し、壁を挟んで両側に位置するアングルトラスの端部を、間隔パイプに通したボルトで壁を介して結合し、このアングルトラスと平行する壁の両面にアングルトラスを配置し、この壁に貫通させた連結パイプに通したボルトで両面のアングルトラスを結合するようにした木造建築の連結ランマ型耐震トラス装置。
【請求項３】
上記アングルトラスにおけるアングル枠の端部を、三角座金を介して柱にねじ込んだスクリュウで柱に固定するようにした請求項１又は２に記載の木造建築の連結ランマ型耐震トラス装置。
【請求項４】
上記アングルトラスの両端下部を、三角トラスで壁に固定するようにした請求項１乃至３の何れかに記載の木造建築の連結ランマ型耐震トラス装置。
【請求項５】
横長となるアングル枠内にトラスを設け、前記アングル枠の両側端部で柱に接する面に、柱に当接する縦突条を設けたアングルトラスと、両側にアングルトラスの端部を位置させる壁の厚みに等しい長さを有する間隔パイプとを用い、先ず、アングルトラスを対面する壁の間に配置して前記縦突条を柱に当接させ、次に、壁を挟んで両側に位置するアングルトラスの端部を、予め壁に挿入した間隔パイプに通したボルトで壁を介して結合するようにした木造建築の連結ランマ型耐震トラス装置を用いた耐震補強工法。
【発明の詳細な説明】
【技術分野】
【０００１】  この発明は、京風長屋や戸建住宅のような木造建築において、耐震性を向上させるために補強する木造建築の連結ランマ型耐震トラス装置と、これを用いた耐震補強工法に関する。
【背景技術】
【０００２】  例えば、京風長屋は間口が狭く奥行きが長いという特徴があり、表側には耐震金物を付けず、伝統的風観を保存する慣わしがある。【０００３】  このような京風長屋の構造は、奥行き方向にはそれぞれ隣家との壁があり、奥行き方向の筋交いは一応十分であると考えられるが、間口方向の壁は極めて少なく、押入れの壁ぐらいが筋交いとなる。
【発明の開示】
【発明が解決しようとする課題】
【０００４】  従来、このような既存の京風長屋に対する耐震補強は全く手がつけられておらず、従って、耐震的に京風長屋は、奥行き方向には強度があるものの、間口方向の揺れに対しては強度的に弱いという問題があり、地震による災害を未然に防ぐ手段として、新たな耐震補強構造の提案が急務になっている。【０００５】  また、戸建住宅においても、間取り当の関係から壁の多い向きと少ない向きがあり、当然ながら、壁の少ない向きの耐震強度が低いということになる。【０００６】  そこで、この発明の課題は、建物のランマ部分を利用して両側の柱を結合することにより、京風長屋の間口方向及び戸建住宅の壁の少ない向きの耐震強度を向上させることができ、地震による災害の防止手段として有用な木造建築の連結ランマ型耐震トラス装置を提供することにある。
【課題を解決するための手段】
【０００７】  上記のような課題を解決するため、請求項１の発明は、横長となるアングル枠内にトラスを設けて対面する壁の間に配置するアングルトラスを形成し、このアングルトラスにおけるアングル枠の両側端部で柱に接する面に、柱に当接する縦突条を設け、両側にアングルトラスの端部を位置させる壁にこの壁の厚みに等しい長さを有する間隔パイプを挿入し、壁を挟んで両側に位置するアングルトラスの端部を、間隔パイプに通したボルトで壁を介して結合するようにした構成を採用したものである。【０００８】  請求項２の発明は、横長となるアングル枠内にトラスを設けて対面する壁の間に配置するアングルトラスを形成し、このアングルトラスにおけるアングル枠の両側端部で柱に接する面に、柱に当接する縦突条を設け、両側にアングルトラスの端部を位置させる壁にこの壁の厚みに等しい長さを有する間隔パイプを挿入し、壁を挟んで両側に位置するアングルトラスの端部を、間隔パイプに通したボルトで壁を介して結合し、このアングルトラスと平行する壁の両面にアングルトラスを配置し、この壁に貫通させた連結パイプに通したボルトで両面のアングルトラスを結合するようにした構成を採用したものである。【０００９】  請求項３の発明は、請求項１又は２の発明において、上記アングルトラスにおけるアングル枠の端部を、三角座金を介して柱にねじ込んだスクリューで柱に固定するようにした構成を採用したものである。【００１０】  請求項４の発明は、請求項１乃至３の何れかの発明において、上記アングルトラスの両端下部を、三角トラスで壁に固定するようにした構成を採用したものである。【００１１】  請求項５の発明は、横長となるアングル枠内にトラスを設け、前記アングル枠の両側端部で柱に接する面に、柱に当接する縦突条を設けたアングルトラスと、両側にアングルトラスの端部を位置させる壁の厚みに等しい長さを有する間隔パイプとを用い、先ず、アングルトラスを対面する壁の間に配置して前記縦突条を柱に当接させ、次に、壁を挟んで両側に位置するアングルトラスの端部を、予め壁に挿入した間隔パイプに通したボルトで壁を介して結合するようにした構成を採用したものである。【００１２】  ここで、アングルトラスのアングル枠は、アングル材を用い、対面する壁の間隔に丁度収まる横長の枠に形成され、このアングル枠の片面又は両面には、板を張ってペイントや装飾を施すことができる。【００１３】  また、縦突条はアングルトラスを対面する壁の間に配置したとき、柱の外面に当接し、両側のアングルトラスを結合することで、両側のアングルトラスの縦突条が柱を両側から挟むことになり、アングルトラスを介して両側の柱が結合される。
【発明の効果】
【００１４】  この発明によると、木造建築のランマの部分を利用して、両側の柱を結合することができ、京風長屋のような間口方向及び、戸建住宅の壁の少ない向きの耐震強度を大幅に向上させることができ、既存の木造建築の耐震補強として極めて有用である。【００１５】  また、両側にアングルトラスの端部を位置させる壁に、この壁の厚みに等しい長さを有する間隔パイプを挿入し、壁を挟んで両側に位置するアングルトラスの端部を、間隔パイプに通したボルトで壁を介して結合するようにしたので、アングルトラスの端部を結合する場合に、締め付け力を間隔パイプで支持することができ、壁に破損を生じさせることがないと共に、アングルトラスの結合は壁に孔をあけるだけでよく、施工が簡単容易に行える。【００１６】  また、アングルトラスの端部に縦突条を設けてあるので、アングルトラスを対面する壁の間に配置したとき、縦突条が柱の外面に当接し、両側のアングルトラスを結合することで、縦突条が柱を両側から挟むことになり、アングルトラスを介して両側の柱を結合することで、建物の耐震性を確実に向上させることができる。【００１７】  更に、アングルトラスにおけるアングル枠の端部を、三角座金を介して柱にねじ込んだスクリューで柱に固定するようにしたので、アングルトラスの柱への固定強度が向上し、耐震強度を一段と向上させることができる。【００１８】  更にまた、アングルトラスの両端下部を、三角トラスで柱に固定したので、アングルトラスと三角トラスによって両側柱の結合強度を向上させることができる。
【発明を実施するための最良の形態】
【００１９】  以下、この発明の実施の形態を添付図面に基づいて説明する。【００２０】  図示のように、連結ランマ型耐震トラス装置１は、アングル材を用い、対面する壁ＡとＡの間隔に丁度収まる横長の枠に溶接で組み立てらねたアングル枠２内に丸鋼等を用いたトラス３を設けてアングルトラス４を形成し、このアングルトラス４におけるアングル枠２の両側端部の縦枠材で、壁Ａに接する面の上下にボルト孔が穿設され、また、柱Ｂに接する背面に、図２（ｂ）のように、柱Ｂに当接する縦突条５が設けられている。【００２１】  上記アングルトラス４の端部を位置させる壁Ａの上部には、上記ボルト孔と対応する位置に、この壁Ａの厚みに等しい長さを有する間隔パイプ６が挿入され、壁Ａを挟んで両側に位置するアングルトラス４の端部を、間隔パイプ６に通したボルト７で壁Ａを介して結合するようになっている。【００２２】  また、上記アングルトラス４におけるアングル枠２の端部は、図３のように、三角座金８を介して柱Ａにねじ込むスクリュー９で柱Ａに固定するようになっている。【００２３】  図２は、ランマ壁ａの両面にアングルトラス４を配置した例を示し、ランマ壁ａの両面に位置するアングルトラス４は、このランマ壁ａに連結パイプ１０を貫通させ、この連結パイプ１０に通したボルト１１で両面のアングル枠２の複数箇所を互に結合するようにしている。【００２４】  また、壁ＡとＡ間に配置したアングルトラス４の両端下部を、壁Ａに固定した三角トラス１２で支持するようにしている。この三角トラス１２は、図１の場合、上下長さの短いものを示したが、壁Ａの下部に達するような上下に長いものを用い、固定強度を上げるようにしてもよい。【００２５】  この三角トラス１２とアングルトラス４はボルトで結合し、壁Ａに対する両側三角トラス１２の固定は、上記アングルトラス４の壁Ａに対する固定と同様、壁Ａに間隔パイプ６を挿入し、この間隔パイプ６に通したボルト７を締め付けることによって行っている。【００２６】  なお、図示省略したが、アングルトラス４の片面又は両面に、薄いベニヤ等の板を張設し、この板に塗装を施したり壁紙を貼るようにし、居住者のニーズに合わせた装飾性を持たせるようにすることができる。【００２７】  この発明の連結ランマ型耐震トラス装置１は、上記のような構成であり、木造建築に耐震補強を施すには、両側に対面する壁ＡとＡの間隔に一致する長さのアングルトラス４を用意し、壁ＡとＡの上部でアングル枠２のボルト孔と対応する位置に、貫通孔を穿設して間隔パイプ６を挿入しておく。【００２８】  両側の壁ＡとＡ間に位置させたアングルトラス４の両端部背面を柱Ｂに当接させると、縦突条５が柱Ｂの外面に接することになり、このようにして、壁Ａの両面にアングルトラス４を配置し、この状態で一方アングル枠２のボルト孔から間隔パイプ６及び他方アングル枠２のボルト孔にボルト７を挿入し、ボルト７にナットを螺合して締め付けることにより、両側の壁ＡとＡ間にアングルトラス４を固定する。【００２９】  壁を挟んだ両側のアングルトラスは結合一体化すると共に、アングルトラスの端部に設けた縦突条で、柱を両側から挟むことになり、アングルトラスを介して両側の柱を結合することで、��物の耐震性を確実に向上させることができる。【００３０】  このようにして、壁ＡとＡの間にアングルトラス４を固定すると、アングルトラス４におけるアングル枠２の端部を、三角座金８を介して柱Ｂにねじ込んだスクリュー９で柱Ｂに固定し、アングルトラス４の柱Ｂへの固定強度を向上させる。【００３１】  なお、必要ならば、図２（ａ）に示したように、ランマ壁ａの両面にアングルトラス４を配置し、耐震強度を更に大きくなるようにしてもよい。【００３２】  また、アングルトラス４の両端下部に結合した三角トラス１２を壁Ａに固定すれば、耐震補強が完了し、例えば、京風長屋においては、表口の内側、中の間、奥の間等のランマ壁ａに沿ってアングルトラス４を配置すれば、建物全体として間口方向が隣家と一体に結合され、長屋全体の耐震強度を向上させることができる。
【図面の簡単な説明】
【００３３】
【図１】この発明に係る木造建築の連結ランマ型耐震トラス装置の施工状態を示す縦断正面図
【図２】（ａ）は木造建築の連結ランマ型耐震トラス装置をランマ壁の両面に配置した施工状態を示す横断平面図、（ｂ）はアングルトラスの背面に設けた縦突条を示す斜視図
【図３】アングルトラスの端部をスクリューで柱に固定した分部の横断平面図
【符号の説明】
【００３４】１        連結ランマ型耐震トラス装置
２        アングル枠
３        トラス
４        アングルトラス
５        縦突条
６        間隔パイプ
７        ボルト
８        三角座金
９        スクリュー
１０      連結パイプ
１１      ボルト
１２      三角トラス
【図１】
2006077555.tif 000003
【図２】
2006077555.tif 000004
【図３】
2006077555.tif 000005